(57)【特許請求の範囲】
【請求項１】
エネルギー伝達用の柔軟なリボンであって、
該リボンは、磁性支持帯の厚み方向に向けられる永久磁力を素材に与える粒子が隠されている素材を形成するエラストマー材料から成る磁性支持帯（３）と、磁性支持帯に沿ってエネルギー伝達部品（２）を少なくとも一つと、そして単数のあるいはそれぞれのエネルギー伝達部品が中に埋設されまた磁性支持帯に接着する被覆材（１）とを含むものであり、温度差の影響を受けて磁性支持帯に誘発される寸法変化の現象が磁性支持帯と被覆材との間に、前記磁性支持帯と前記被覆材との間の接着を弱めることを避けるのに十分に小さい応力を誘発するような長さで、磁性支持帯が、約３ｍｍと約１５ｍｍの間に含まれる長さをもつ相次ぐ磁性分割体（３１）に分割されることを特徴とする、エネルギー伝達用の柔軟なリボン。
【請求項２】
エネルギー伝達用の柔軟なリボンであって、
該リボンは、磁性支持帯の厚み方向に向けられる永久磁力を素材に与える粒子が隠されている素材を形成するエラストマー材料から成る磁性支持帯（３）と、磁性支持帯に沿ってエネルギー伝達部品（２）を少なくとも一つと、そして単数のあるいはそれぞれのエネルギー伝達部品が中に埋設されまた磁性支持帯に接着する被覆材（１）とを含むものであり、磁性支持帯が、その中に切断の始まりが作られる連続磁性支持帯（３）であって、該切断の始まりが、温度差の影響を受けて磁性支持帯に誘発される寸法変化の現象が磁性支持帯と被覆材との間に前記切断の始まりのところで磁性支持帯の切断を引き起こして磁性支持帯の磁性分割体（３１）を形成するのに十分に強い応力を誘発するが、前記磁性支持帯と前記被覆材との間の接着を弱めることを避けるのに十分に弱い応力を誘発するような、約３ｍｍと約１５ｍｍの間に含まれる距離で、間が開けられていることを特徴とする、エネルギー伝達用の柔軟なリボン。
【請求項３】
被覆材（１）が、有機樹脂であることを特徴とする、請求項１または２に記載のリボン。
【請求項４】
被覆材（１）が、磁性支持帯に直接接着することを特徴とする、請求項１〜３のいずれか一つに記載のリボン。
【請求項５】
被覆材（１）が、接着剤を使って磁性支持帯に付着されることを特徴とする、請求項１〜３のいずれか一つに記載のリボン。
【請求項６】
磁性支持帯（３）が、フェライト粒が中に隠れるエチレンプロピレンジエンゴム（ＥＰＤＭ）の素材から成ることを特徴とする、請求項１〜５のいずれか一つに記載のリボン。
【請求項７】
リボンが、単数あるいは複数の伝達部品を収容する被覆材の両側に磁性支持帯（３、４）を含むことを特徴とする、請求項１〜６のいずれか一つに記載のリボン。
【請求項８】
磁性支持帯（３）の磁性分割体（３１）が、向かい合った磁性支持帯（４）の磁性分割体（４１）に対してずれており、それらの相互の分断が一致しないようになっていることを特徴とする、請求項７に記載のリボン。
【請求項９】
磁性分割体（３１、４１）が、約４ｍｍと約７ｍｍの間に含まれる長さをもつことを特徴とする、請求項１〜８のいずれか一つに記載のリボン。
【請求項１０】
以下の過程、すなわち、
素材を形成するエラストマー材料から成る連続する磁性支持帯（３）を準備する過程であり、該素材には前記磁性支持帯の厚み方向に向けられる永久磁力を素材に伝える粒子が隠れている、素材を形成するエラストマー材料から成る連続する磁性支持帯（３）を準備する過程と、
前記磁性支持帯に沿って、少なくとも一つのエネルギー伝達部品（２）を被覆材（１）を使って固定する過程であり、該被覆材は、単数のあるいはそれぞれのエネルギー伝達部品が中に隠されまた磁性支持帯に接着するものである、前記磁性支持帯に沿って、少なくとも一つのエネルギー伝達部品（２）を被覆材（１）を使って固定する過程と、
前記磁性支持帯に切断の始まりを形成する切込みをつける過程であって、該切断の始まりは、温度差の影響を受けて磁性支持帯に誘発される寸法変化の現象が、磁性支持帯と被覆材との間に前記切断の始まりのところで磁性支持帯の切断を引き起こして磁性支持帯の磁性分割体（３１）を形成するのに十分に強い応力を誘発するが、前記磁性支持帯と前記被覆材との間の接着を弱めることを避けるのに十分に弱い応力を誘発するような、約３ｍｍと約１５ｍｍの間に含まれる距離で、間が開けられている、前記磁性支持帯に切断の始まりを形成する切込みをつける過程とを含むことを特徴とする、エネルギー伝達用の柔軟なリボンの製造方法。
【請求項１１】
被覆材（１）が、有機樹脂であることを特徴とする、請求項１０に記載の方法。
【請求項１２】
被覆材（１）が、磁性支持帯に直接接着することを特徴とする、請求項１０または１１に記載の方法。
【請求項１３】
被覆材（１）が、接着剤を使って磁性支持帯に付着されることを特徴とする、請求項１０〜１２のいずれか一つに記載の方法。
【請求項１４】
磁性支持帯（３）が、フェライト粒が中に隠れるエチレンプロピレンジエンゴム（ＥＰＤＭ）の素材から成ることを特徴とする、請求項１０〜１３のいずれか一つに記載の方法。
【請求項１５】
方法が、第一の磁性支持帯の反対側の被覆材にもう一つの磁性支持帯（４）の固定をすることもまた含み、切断の始まりを形成する切込みが前記もう一つの磁性支持帯にもつけられることを特徴とする、請求項１０〜１４のいずれか一つに記載の方法。
【請求項１６】
磁性分割体（３１、４１）が、約３ｍｍと約１５ｍｍの間、好ましくは約４ｍｍと約７ｍｍの間に含まれる長さをもつことを特徴とする、請求項１０〜１５のいずれか一つに記載の方法。
【請求項１７】
切断の始まりを形成する前記切込みを、磁性分割体（３１；３１、４１）に分離させる分断に変えるように、全体を寸法変化の現象に導く温度および曲げ応力とに同時にさらす後期過程を含むことを特徴とする、請求項１０〜１６のいずれか一つに記載の方法。
【請求項１８】
前記リボンは、横断方向における縦断面が全体として長方形を呈しており、その幅が厚みを超えるものであることを特徴とする、請求項１〜９のいずれか一つに記載のリボン。
【請求項１９】
前記リボンは、横断方向における縦断面が全体として長方形を呈しており、その幅が厚みを超えるものであることを特徴とする、請求項１０〜１７のいずれか一つに記載の方法。
【発明の詳細な説明】
【技術分野】
【０００１】
本発明は、エネルギー伝達用の柔軟なリボンに関するものであり、該リボンは、永久磁力を呈する長手方向に柔軟な磁性支持帯と、少なくとも一つの長手方向に柔軟なエネルギー伝達部品とを含み、該伝達部品は、前記磁性支持帯によって、あらゆる相対的な横方向の動きに対して支持される。
【背景技術】
【０００２】
互いに動く二つの固体のそれぞれの局部的領域間のエネルギー（もちろん信号を含む）伝達を保証する必要があるとき、多くの技術分野において、またさまざまな実施態様にしたがって、永久磁力を呈するにせよ呈しないにせよ、柔軟なリボンに頻繁に助けが求められる。
【０００３】
柔軟なリボンのさまざまな構造およびさまざまな可能な応用例もが、本出願人名義の文書である国際公開第２００５／０８３７２４号パンフレットの表紙および明細書において詳細に記述されており、該文書はこれから必要に応じて参照される。
【０００４】
そのような既知の柔軟なリボンの利用は、上述の文書中に記述されている通り多数の応用例において多くのメリットを呈するものである。
【０００５】
そのようなリボンの特有の例は、樹脂のような固定剤の塊の中に埋設された一連のエネルギー伝達部品を含み、このように得られる全体は、例えば磁気粒子をもったエラストマー素材で製作される磁性支持帯の一方の面に固定される。
【０００６】
温度差に直面したそのようなリボンの反応が問題を提示することが、明らかになっている。
【０００７】
より正確には、樹脂の塊の中に埋設されたエネルギー伝達部品から成る全体が、該全体と磁性支持帯との二つの間に生まれる主としてせん断応力の作用によって、磁性支持帯から離れる可能性があることが明らかとなっている。
より正確には、磁性支持帯の素材、典型的にはフェライト粒を組み入れるＥＰＤＭ（英語の専門用語でＥｔｈｙｌｅｎｅ  Ｐｒｏｐｙｌｅｎｅ  Ｄｉｅｎｅ  Ｒｕｂｂｅｒ  エチレンプロピレンジエンゴム）タイプのエラストマーから成るものが、およそ５０℃から８０℃の高温にさらされるとき、この素材の分子は、可逆的でない大幅な縮加工をするために再構成されると考えられる。
これらの条件において、樹脂の中に埋設された伝達部品から形成される全体と磁性支持帯との間の接着力は、二つの間の剥離を避けるのに十分ではなく、リボンは利用不可能になってしまう。
【発明の概要】
【発明が解決しようとする課題】
【０００８】
本発明は、先行技術のこれらの不都合を解消すること、そして類似の素材および製造方法を保ちながらも、したがってリボンの原価の負担増をすることなく、問題の反応を回避するエネルギー伝達部品のための磁性支持帯のついた新規のリボン、あるいは別のタイプのつなぎ材のついた新規のリボンを提案することを目指す。
【課題を解決するための手段】
【０００９】
このために第一の態様によると、エネルギー伝達用の柔軟なリボンが提案されるが、該リボンは、磁性支持帯の厚み方向に向けられる永久磁力を素材に与える粒子が隠されている素材を形成するエラストマー材料から成る磁性支持帯と、磁性支持帯に沿ってエネルギー伝達部品を少なくとも一つと、そして単数のあるいはそれぞれのエネルギー伝達部品が中に埋設されまた磁性支持帯に接着する被覆材とを含むものであり、特に温度差の影響を受けて磁性支持帯に誘発される寸法変化の現象が磁性支持帯と被覆材との間に、前記磁性支持帯と前記被覆材との間の接着を弱めることを避けるのに十分に小さい応力を誘発するような長さで、磁性支持帯が、相次ぐ磁性分割体に分割されることを特徴とする。
【００１０】
本発明の第二の態様によると、エネルギー伝達用の柔軟なリボンが提案されるが、該リボンは、磁性支持帯の厚み方向に向けられる永久磁力を素材に与える粒子が隠されている素材を形成するエラストマー材料から成る磁性支持帯と、磁性支持帯に沿ってエネルギー伝達部品を少なくとも一つと、そして単数のあるいはそれぞれのエネルギー伝達部品が中に埋設されまた磁性支持帯に接着する被覆材とを含むものであり、磁性支持帯が、その中に切断の始まりが作られる連続磁性支持帯であって、該切断の始まりが、特に温度差の影響を受けて磁性支持帯に誘発される寸法変化の現象が磁性支持帯と被覆材との間に前記切断の始まりのところで磁性支持帯の切断を引き起こして磁性支持帯の磁性分割体を形成するのに十分に強い応力を誘発するが、前記磁性支持帯と前記被覆材との間の接着を弱めることを避けるのに十分に弱い応力を誘発するような距離で、間が開けられていることを特徴とする。
【００１１】
これらのリボンの、好ましいが制限されるものではない、いくつかの態様が以下に定義される。
被覆材は、有機樹脂である。
被覆材は、磁性支持帯に直接接着するか、あるいはまた接着剤を使って磁性支持帯に付着される。
磁性支持帯は、フェライト粒が中に隠れるエチレンプロピレンジエンゴム（ＥＰＤＭ）の素材から成る。
リボンは、単数あるいは複数の伝達部品を収容する被覆材の両側に磁性支持帯を含む。
磁性支持帯の磁性分割体は、向かい合った磁性支持帯（３）の磁性分割体に対してずれており、それらの相互の分断が一致しないようになっている。
磁性分割体は、約３ｍｍと約１５ｍｍの間、好ましくは約４ｍｍと７ｍｍの間に含まれる長さをもつ。
【００１２】
最後に、本発明の第三の態様にしたがって、以下の過程を含むことを特徴とする、エネルギー伝達用の柔軟なリボンの製造方法を提案する。
素材を形成するエラストマー材料から成る連続する磁性支持帯を準備する過程であり、該素材には前記磁性支持帯の厚み方向に向けられる永久磁力を素材に伝える粒子が隠れている。
前記磁性支持帯に沿って、少なくとも一つのエネルギー伝達部品を被覆材を使って固定する過程であり、該被覆材は、単数あるいは複数のエネルギー伝達部品が中に隠されまた磁性支持帯に接着するものである。
前記磁性支持帯に切断の始まりを形成する切込みをつける過程であって、該切断の始まりは、特に温度差の影響を受けて磁性支持帯に誘発される寸法変化の現象が、磁性支持帯と被覆材との間に前記切断の始まりのところで磁性支持帯の切断を引き起こして磁性支持帯の磁性分割体を形成するのに十分に強い応力を誘発するが、前記磁性支持帯と前記被覆材との間の接着を弱めることを避けるのに十分に弱い応力を誘発するような距離で、間が開けられている。
【００１３】
有利には、本発明の方法は、切断の始まりを形成する前記切込みを、磁性分割体に分離させる分断に変えるように、全体を寸法変化の現象に導く温度および曲げ応力とに同時にさらす後期過程を含む。
【００１４】
本発明の他の態様、目的、および利点は、非制限例として与えられ、また、以下のような付属の図面を参照してなされる、後述の本発明の好ましい実施態様の詳細な説明を読むことにより、よりよく明らかになるであろう。
【図面の簡単な説明】
【００１５】
【図１】本発明の第一の実施態様によるリボンの横断方向における縦断面図である。
【図２】図１のリボンの長手方向の縦断面図であり、図１における切断線Ｉ−Ｉを示す。
【図３】本発明の第二の実施態様によるリボンの横断方向における縦断面図である。
【図４】図３のリボンの長手方向の縦断面図であり、図３における切断線ＩＩＩ−ＩＩＩを示す。
【図５Ａ】本発明によるリボンの製造方法の一例の過程を示す長手方向の縦断面図である。
【図５Ｂ】本発明によるリボンの製造方法の一例の過程を示す長手方向の縦断面図である。
【図５Ｃ】本発明によるリボンの製造方法の一例の過程を示す長手方向の縦断面図である。
【図５Ｄ】本発明によるリボンの製造方法の一例の過程を示す長手方向の縦断面図である。
【００１６】
まず、図１および図２を参照すると、本発明によるリボンは、横断方向における縦断面が全体として長方形を呈しており、その幅（図１で水平に測定される）は、厚み（この同じ図で垂直に測定される）を超える。
【００１７】
リボンは、したがってその大部分の複数面に直交する長手方向の平面において、一つの優先される曲げ方向を有する。
【００１８】
本発明によるリボンは、支持体を形成する磁性支持帯３を有し、該磁性支持帯は、その厚み方向に永久磁力を呈するものである。
この永久磁力は、幅全体に渡って同じ向きであることができ、このことは、この幅が例えばおよそ１ミリメートルから２ミリメートルまたは３ミリメートルより少ない比較的小さいものである場合に好まれるものであるが、永久磁力はまた幅にわたって分配される仕方で交互の方向を呈することもでき、このことはより大きい幅について好まれ得るものである。
【００１９】
また、リボンは複数のエネルギー伝達部品２も含み、該伝達部品は、例えば紫外線で重合されるアクリル樹脂のような有機樹脂から成る被覆材１の共通の塊の中に隠される。
【００２０】
エネルギー伝達部品２によって伝達されるエネルギーは、光、電力、空気圧、水力、ケーブルの種類のエネルギーを有するグループの中から選択することができる。
本例においては、光ファイバーである。
【００２１】
いずれにせよ、当業者は、求められる永久磁力を保証する目的で自由に使えるリボン１のさまざまな実践的な実施態様から選択することができる。
【００２２】
磁性支持帯３は、例えば、中にフェライト粒が隠されるエチレンプロピレンジエンゴム（ＥＰＤＭ）の素材から成る。
典型的には、高い磁力レベルを保証するためにおよそ９０重量％のフェライトが準備される。
【００２３】
光ファイバーのようなエネルギー伝達部品２は、それらの許容曲げが、検討されるリボンの応用例と釣り合う限り、従来の製品であることができる。
【００２４】
可能な製品に関する更なる詳細については、先に挙げられた文書、国際公開第２００５／０８３７２４号パンフレットが参照されるであろう。
【００２５】
図１は、覆われた四つの光ファイバーであるエネルギー伝達部品２を有する本発明によるリボンの場合を示しており、該四つの光ファイバーは、一つの磁性支持帯３と一体化した被覆材１の中に並べて配置されるものである。
【００２６】
被覆材１の厚みは、磁性支持帯３に向かい合うリボン表面に沿った、並びに磁性支持帯３の側面のリボン表面に沿ったこの被覆材１の連続性を保つために、エネルギー伝達部品２のそれぞれの外径を超えるように選ばれる。
【００２７】
本発明のきわめて重要な特徴によると、また図２に示されているように、磁性支持帯３は、局部的な仕方で周期的に分断され、互いに切り離され、相次ぐ磁気磁性分割体３１が形成される。
リボンの総合付着力は、この場合、被覆材１自体によって部分的に保証されるが、該被覆材はそのとき望まれる力学的特性を得るために選ばれ、また寸法決めされるものである。
【００２８】
そのように、一時的なものにせよ、永続的なものにせよ、寸法変化の現象が磁性支持帯３と被覆材１との間に相対的に働くとき、該二つの材料間に、二つの間の剥離に達するには不十分なせん断力を発生させる。
典型的には、そのような応力は、材料ＥＰＤＭが高い温度、典型的には６０℃から８０℃のとき、縮加工に導く分子再構成に由来することが考えられる。
【００２９】
すなわち、個別の磁性分割体３１間の各分断では、そのような応力は緩和されるのだが、それはエネルギー伝達部品２自体のほかに、被覆材１しか存在しないからである。
【００３０】
図３と図４は、本発明の第二の実施態様を示すが、ここでは磁性支持帯は、数が５つのエネルギー伝達部品２を収容する被覆材１のリボンの両側に位置することになる、二つの磁性支持帯３と磁性支持帯４に二分される。
【００３１】
先と同じ仕方で、各磁性支持帯３、磁性支持帯４は、個別の磁性分割体として、それぞれ磁性分割体３１、磁性分割体４１を形成するために分断される。
有利には、これらの分断は、一つの側に位置する磁性分割体間の分断が、もう一方の側に位置する磁性分割体間の分断と一致することのないような仕方で、また好ましくは磁性支持帯上の二つの磁性分割体間の分断が、反対の側の磁性支持帯の長手方向における磁性分割体の真ん中とほぼ向かい合って位置するような仕方で、距離△（図４参照）だけ互いにずれている。
したがって、被覆材が必要な力学的特性すべてを呈しない場合には、被覆材１しか存在しないことに起因する脆弱点をリボンに与えることは避けられる。
【００３２】
さらに、そのような二重の磁性支持帯の配置はリボンの機能を改善することを可能にし、磁力のレベルはその両側でほぼ同じである。
【００３３】
これから図５Ａから図５Ｄを参照して、本発明によるリボンの製造方法の一例を記述する。
【００３４】
まず、エネルギー伝達部品２のセットを準備するが、該エネルギー伝達部品は、リボンを形成するように被覆材１の中に被覆されている（図５Ａ）。
【００３５】
続いて、このリボンに沿って（被覆材１の接着力のある状態において、直接、あるいは別の接着剤を使って）、先に検討したようにフェライト粒をもったＥＰＤＭから成る、連続する磁性支持帯３を貼り付ける（図５Ｂ）。
【００３６】
次の過程は、エネルギー伝達部品２を収容する被覆材１を傷つける恐れのないように、磁性支持帯３の厚み内に、すなわち、好ましくはその厚みのかなりの部分に、切込みＥを作るためにカッター装置あるいは類似の装置を利用することにある（図５Ｃ）。
【００３７】
これらの切込みは、いずれも磁性支持帯の切断の始まりを作り出すものであるが、好ましくは３ｍｍと１５ｍｍの間に含まれる間隔、より好ましくは、およそ４ｍｍから７ｍｍの間隔で離されている。
ここでは、これらの切込みは、５ｍｍの間隔がおかれている。
【００３８】
次の過程は、このように得られる全体を、磁性支持帯３を構成するＥＰＤＭの縮加工を引き起こすように、およそ６０℃から８０℃の温度に、およそ２時間から４時間の継続時間さらすこと、また同時に、該全体にリボンが操業中に遭遇するであろう曲げ応力に似た曲げ応力を受けさせることにある。
この縮加工は、約１０％に達することができ、つまり切り込まれる領域が広がって約０．５ｍｍの幅に達することを意味し、そしてこのように磁性支持帯の個別の磁性分割体３１を、しっかりと切り離すことができるようになる（図５Ｄ）。
【００３９】
この縮加工は永続的であるので、後にリボンが利用の最中に高温にさらされても、リボンの中に、磁性支持帯全体を形成する磁性分割体３１に対して、被覆材１とエネルギー伝達部品２の全体の剥離をもたらす恐れのある、より大きい外力が引き起こされることはない。
【００４０】
上に記述される方法は、当業者によって、図３および図４にしたがってリボンの製造に容易に再現することができる。
【００４１】
もちろん多くの変形例もまた、本発明の範囲を出ることなく検討することができる。
【００４２】
特に、単数あるいは複数の磁性支持帯を、規則的あるいは規則的でない仕方で、リボンの幅が、リボンの幅方向で寸法変化の現象が障害となり得る場合には、リボンの幅方向においても、あらゆるモチーフに応じて磁性分割体に分割することができる。
【００４３】
更には、本発明は、原因にかかわらず、単数の磁性支持帯（あるいは複数の磁性支持帯）と被覆材との間の応力を誘発しうる場合に適用されるものである。
【符号の説明】
【００４４】
１  被覆材
２  エネルギー伝達部品
３  磁性支持帯
３１  磁性分割体
４  磁性支持帯
４１  断片
【先行技術文献】
【特許文献】
【００４５】
【特許文献１】国際公開第２００５／０８３７２４号パンフレット
【図１】
0005496666.tif 000002
【図２】
0005496666.tif 000003
【図３】
0005496666.tif 000004
【図４】
0005496666.tif 000005
【図５Ａ】
0005496666.tif 000006
【図５Ｂ】
0005496666.tif 000007
【図５Ｃ】
0005496666.tif 000008
【図５Ｄ】
0005496666.tif 000009